(57)【要約】【課題】  有名ブランドの詳しい情報が、インターネットで配信されていることに着目し、同時に現在ほとんど誰もが所有している携帯電話などのモバイルを利用して、何ら面倒な操作やホームアドレスを記憶していなくとも、インターネットを介して発表されている有名ブランドの最新情報が得られるようにしたことである。【解決手段】  ディスプレーをもつモバイル本体にあって、該ディスプレーに、有名ブランド等のそれぞれ異なった１乃至複数のマークよりなるアイコンを表示させ、上記アイコン中所望のアイコンをクリックすることで当該有名ブランドのホームページに接続させてなる。【選択図】  図１
2005085209.tif 000002
【特許請求の範囲】
【請求項１】
ディスプレーをもつモバイル本体にあって、該ディスプレーに、有名ブランド等のそれぞれ異なった複数のマークよりなるアイコンを表示させ、上記アイコン中所望のアイコンをクリックすることで当該有名ブランドのホームページに接続され、有名ブランドの新商品やニュースが表示されるようになしたことが特徴のモバイルによる有名ブランド商品のアクセス方法
【発明の詳細な説明】
【技術分野】
【０００１】
この発明は携帯電話などのモバイルを引用した有名ブランドの簡易アクセス方法に関する。
【背景技術】
【０００２】
最近の携帯電話は、各種の機能が満載されてはいるが、その機能がわかり難い欠点があった。そのため、機能の内容を適格に表すアイコンの表示データを備え、機能の選択実行時には表示部に機能に対応したアイコンを表示させ、カーソルによって選択されたアイコンの機能を実行するようにしてその機能が解り易いものとした発明がある。（特許文献１及び２参照）
【０００３】
一方携帯電話は近年著しく普及し、この為利用者が激増した結果仮令えば日本国内で、他人の所有する携帯電話にかけるのに１１桁の入力を行わねばならず、外国の場合はさらに８桁以上の入力が必要となる。
【０００４】
この為最近では予め定めた“略号”と、それに対応する電話番号を携帯電話に記憶させておき、かかる名称や略号を入力するだけでその電話番号が表示されかつ相手方に電話がかかる機能を有した携帯電話が通常となっているが、これとても当該略号を携帯電話のディスプレー上に表示させ、さらにこの略号が自分がかけたいところであることを確認し、次いで通電させる操作は甚だ面倒であり、所望の略号を記憶しておくこと及び所望の略号を検索する作業が面倒などの欠点がある。
【特許文献１】特開平１０−０２３１１７号（要約書）
【特許文献２】特開平０９−１４９１０５号（要約書）
【発明の開示】
【発明が解決しようとする課題】
【０００５】
ところで有名ブランド商品の人気は、特に若い人の間で増長の一途を辿っている。それは誰もが、それら「セリーヌ」や「グッチ」（いずれも登録商標）など有名ブランドの新商品が発表されるその情報をいち早く知り、いち早く入手して自己満足と、他人からのせん望を得たいと考えるからである。
そこで本発明の目的はこれら有名ブランドの詳しい情報が、インターネットで配信されていることに着目し、同時に現在ほとんど誰もが所有している携帯電話などのモバイルを利用して、何ら面倒な操作やホームアドレスを記憶していなくとも、インターネットを介して発表されている有名ブランドの最新情報が得られるようにしたことである。
【課題を解決するための手段】
【０００６】
本発明の特徴は、ディスプレーをもつモバイル本体にあって、該ディスプレーに、有名ブランド等のそれぞれ異なった複数のマークよりなるアイコンを表示させ、上記アイコン中所望のアイコンをクリックすることで当該有名ブランドのホームページに接続されるようになったことで、この結果、有名ブランドのマークなど、複数のアイコン表示データを備えたモバイルにあって、該複数のアイコンよりカーソルによって選択された所望のアイコンをクリックする結果、当該有名ブランドのホームアドレスを駆動させ、当該有名ブランドの新商品その他のニュースを得ることができるようになったのである。
【発明の効果】
【０００７】
本発明の実施の形態に係るモバイルによる有名ブランド商品のアクセス方法によれば、ＲＯＭ（４）に、機能を表すアイコン（７）に対応して有名ブランドを表す標章（マーク）ガイダンスの表示データを備え、またアイコン（７）と、それに対応するガイダンスと、カーソル（８）の位置と、機能プログラムとを記憶する機能対応テーブルを設けており、ＣＰＵ（２）が、機能選択画面の表示の際に、機能対応テーブルを参照して、機能選択画面におけるカーソル（８）の位置に対応するガイダンスを表示するようにしているので、カーソル（８）で所望の有名ブランドの標章のアイコン（７）を選択しクリックすることで、これに該当する有名ブランド企業の記憶されたホームアドレス（ＵＲＬ）に接続されるから、アイコン（７）に不慣れな利用者でも、容易に有名ブランドの標章マークをみて認識し、所望の機能を選択することができ、その有名ブランド企業の新商品やニュースをいち早く知ることができる効果がある。
【実施例１】
【０００８】
本発明の形態を図面の実施例で説明する。図１は携帯電話機本体（Ａ）の部分構成図で、送受信部（１）と、通話のデータ処理や制御を行うＣＰＵ（２）と入力部（３）と表示データを備えたＲＯＭ（４）とディスプレー表示部であるＬＣＤ（５）とカーソル位置のデータを記憶するＲＡＭ（６）を有する。
【０００９】
ＬＣＤ（５）は、ドットマトリクスとなっており、アイコンの細かいパターンを表示することができるものである。ここでは図２のように画面上部に４×４計１６個のアイコン（７）を並べて表示することができるようになっている。
【００１０】
このアイコン（７）は、正確に図示することはしないが、世界的には靴や、バックや、衣服や、装飾品や、身廻品などで特に人気の高い、仮令えば、いずれも登録商標乃至は周知商標であるグッチやルイヴィトンやセリーヌやＫＥＮＺＯなど、有名ブランドの標章（マーク）を構成されている。
【００１１】
ＬＣＤ（５）はＣＰＵ（２）からの指示に従ってＬＣＤ（５）を駆動し、アイコン（７）のパターンやガイダンスを表示するものであり、ＲＯＭ（４）は、付加機能を実行する処理プログラムと、各機能に対応するアイコン（７）の表示データと、アイコン（７）に対応するガイダンスの表示データを備えている。
【００１２】
更に、ＲＯＭ（４）は、各アイコン（７）と、それに対応するガイダンスと、機能プログラムとを記憶する機能対応テーブルを備えている。
【００１３】
機能対応テーブルは、アイコン（７）と、それに対応するガイダンスと、機能選択画面におけるカーソル（８）位置を記憶するテーブルである。
【００１４】
上記ＣＰＵ（２）は、入力部（３）の特定キーが押下されると、機能選択実行モードに移行し、機能選択画面を表示するものであり、また、特定キーによって確定されたアイコン（７）に対応する機能のプログラムを実行するものである。
【００１５】
図中（９）はページ送りマークであって当然のことながら、当該ページ送りマーク（９）をクリックすれば、上記とは別の有名ブランドの標章（マーク）が上記と同様に表示されるようになっている。
【００１６】
この場合前のページは、特に化粧品で著名なブランド標章の群、次ページは衣服（ウエアー）で著名なブランド標章の群とすると検索しやすい。
【００１７】
即ち上記ＣＰＵ（２）は、ＲＯＭ（４）から上記アイコン（７）の表示データを読み出して、アイコン（７）とカーソル（８）を表示する。
【００１８】
なお、カーソル位置のデータは、ＲＡＭ（６）に記憶されており、ＣＰＵ（２）は、これに従ってカーソル（８）の表示する指示を出力するいまのカーソル（８）を所定のアイコン（７）に合せる。
【００１９】
このときカーソル（８）の位置は、ＲＡＭ（６）に記憶されているデータに従って表示される。ここでガイダンスは「当該有名ブランドの企業のホームページ（ＵＲＬ）」となっており、利用者がキー入力部のスクロールキーを押下すると、例えば、インターネットを介して当該ホームページが表示されるようになっている。
【００２０】
而して通常ほとんど例外なく、この種有名ブランドを持つ企業は、新商品の発表その他のニュースを先ず自社のホームページに掲載する。
【００２１】
そこで、これら有名ブランドの商品中特に自分が所望する有名ブランドの新商品その他のニュースが知りたいとすれば、常時携行している携帯電話のようなモバイルで、上記アイコン（７）を必要なら一定期間ごと定期的に検索すればよい。
【００２２】
即ち、図１のフローチャートで示すように、先ず携帯電話機本体（Ａ）の初期画面を表示させる。この操作における携帯電話機本体（Ａ）のＬＣＤ（５）には、日付や時計などの画柄が画かれ、次いで決定ボタンをクリックすると「ｉ−ｗａｒｐ」とか「ｉ−ｍｏｄｅ（登録商標）」とか「アクセサリー」のアイコンが表示されたメニュー画面（１１）となる。
【００２３】
この実施例では、上記にかかるメニュー画面（１１）に通常設けられている「アクセサリー」とあるアイコンをクリック（１２）させることにした。而して、このアクセサリー画面（１３）には、上記の有名ブランドの標章からなるアイコン（７）が表示（１４）されているので、これから所望のブランドのアイコン（７）をクリックさせることで、自動的に当該有名ブランド企業のホームアドレス（ＵＲＬ）にインターネットなどを介して接続（１５）され当該有名ブランド企業の新商品やニュースをタイムリーに見ることができるのである。
【図面の簡単な説明】
【００２４】
【図１】本発明操作のフローチャート図
【図２】携帯電話の構成図
【図３】携帯電話機のブロック図
【符号の説明】
【００２５】
Ａ    携帯電話機本体
１    送受信部
２    ＣＰＵ
３    入力部
４    ＲＯＭ
５    ＬＣＤ
６    ＲＡＭ
７    アイコン
８    カーソル
９    ページ送りマーク
１０  待ち受け画面
１１  メニュー画面
１２  アクセサリークリック
１３  アクセサリー画面
１４  所望のブランドにクリック
１５  有名ブランドの案内
【図１】
2005085209.tif 000003
【図２】
2005085209.tif 000004
【図３】
2005085209.tif 000005
【手続補正書】
【提出日】平成15年9月29日(2003.9.29)
【手続補正１】
【補正対象書類名】特許請求の範囲
【補正対象項目名】請求項１
【補正方法】変更
【補正の内容】
【請求項１】
ディスプレーをもつモバイル本体にあって、該ディスプレーに、有名ブランド等のそれぞれ異なった１乃至複数のマークよりなるアイコンを表示させ、上記アイコン中所望のアイコンをクリックすることで当該有名ブランドのホームページに接続され、有名ブランドの新商品やニュースが表示されるようになしたことが特徴のモバイルによる有名ブランド商品のアクセス方法
【手続補正２】
【補正対象書類名】明細書
【補正対象項目名】０００６
【補正方法】変更
【補正の内容】
【０００６】
本発明の特徴は、ディスプレーをもつモバイル本体にあって、該ディスプレーに、有名ブランド等のそれぞれ異なった１乃至複数のマークよりなるアイコンを表示させ、上記アイコン中所望のアイコンをクリックすることで当該有名ブランドのホームページに接続されるようになったことで、この結果、有名ブランドのマークなど、１乃至複数のアイコン表示データを備えたモバイルにあって、該１乃至複数のアイコンよりカーソルによって選択された所望のアイコンをクリックする結果、当該有名ブランドのホームアドレスを駆動させ、当該有名ブランドの新商品その他のニュースを得ることができるようになったのである。